(57)【特許請求の範囲】
【請求項１】
容器本体と、該容器本体の口部に装着される吐出ポンプ体とを備え、該吐出ポンプ体の上方に設けられたノズルヘッド部を上下動させることで、該容器本体内に収容された液体を該ノズルヘッド部に設けられた吐出口から吐出するポンプ式吐出容器において、
前記吐出ポンプ体は、
前記容器本体内と連通可能な筒状のシリンダ部と、
前記シリンダ部と前記容器本体内との連通を開閉可能とする逆止弁部と、
前記シリンダ部の内壁面と摺接して上下動が可能であり、該シリンダ部との間隙を液室として構成するとともに、その上方向への移動によって容器本体内の液体を該液室内へと吸入し、且つその下方向への移動によって該液室内の液体をその上方に設けられた開口端を通じて上方へと圧送する筒状のピストン部と、
前記シリンダ部と前記ピストン部との間に介在し、該シリンダ部を下方向、該ピストン部を上方向へと付勢するスプリング部と、
前記シリンダ部及び前記ピストン部により形成された空間内に設けられ、前記スプリング部により下方向へと付勢されており、且つその上方末端が該ピストン部の開口端を貫通しているとともに、その貫通した上方末端において拡径された係止部分が設けられている棒状のロッド部と、
前記ロッド部と前記ピストン部の開口端との間に介在し、その内壁面が該ロッド部の外周面と摺接するとともに、その外壁面が該ピストン部の開口端と当接して該ピストン部の開口端を閉塞するか、又はその外壁面が該ピストン部の開口端と当接しないで該ピストン部の開口端を開放し、該ピストン部とともに上方向へと最大限移動した際、その内壁面が該ロッド部の係止部分の外周面と当接することで該ピストン部の開口端を密閉可能とする筒状の弁座部と、
前記ピストン部内と連通可能であり、且つ該ピストン部と連動して上下動が可能であって、その下方向への移動によって、前記液室内の液体を該ピストン部の開口端を通じてその内部へと流入するとともに、該液体をその末端に設けられた吐出口から吐出するノズルヘッド部と
を備え、
前記シリンダ部において筒状内側方向に張り出した弁座部分が設けられ、前記逆止弁部及び該シリンダ部の弁座部分は、前記ピストン部の上方向への移動の際、互いに当接せずに該シリンダ部内と前記容器本体内との連通を開放し、且つ該ピストン部の下方向への移動の際、互いに当接して該シリンダ部内と該容器本体内との連通を閉塞することによって一次弁を構成し、
前記ロッド部、前記筒状弁座部及び前記ピストン部は、前記ノズルヘッド部の上方向の移動の際、該筒状弁座部の外壁面と該ピストン部の開口端とが当接して該ピストン部の開口端を閉塞し、該ノズルヘッド部が上死点に達した際、該ロッド部末端の係止部分の外周面と該筒状弁座部の内壁面とが圧接することで該ピストン部の開口端を圧閉し、且つ該ノズルヘッド部の下方向への移動の際及び下死点に達した際、該筒状弁座部の外壁面と該ピストン部の開口端とが当接せずに該ピストン部の開口端を開放することによって二次弁を構成している
ことを特徴とするポンプ式吐出容器。
【発明の詳細な説明】
【技術分野】
【０００１】
本発明はポンプ式吐出容器、特に液体吐出後の吐出口からの液体漏出の低減に関する。
【背景技術】
【０００２】
従来、容器本体の上方に装着されたノズルヘッドを上下動させることによって、容器本体内に収容された液体をノズルヘッド先端の吐出口から吐出するポンプ式吐出容器が知られている。このようなポンプ式吐出容器においては、通常、吐出ポンプ体内部に液室（シリンダとピストンとの間隙）が設けられるともに、該液室の上流側（容器本体側）末端に一次弁、下流側（吐出口側）末端に二次弁が設けられている。そして、ノズルヘッドが上昇した際には、二次弁が閉塞されて液室内が減圧となり、減圧により開放された一次弁を通じて容器本体内の液体が液室へと充填される。つづいて、ノズルヘッドを下降した際には、一次弁が閉塞された状態で液室内が加圧され、加圧により開放された二次弁を通じて液室内に充填された液体が吐出口から吐出される。
【０００３】
ここで、従来の一般的なポンプ吐出容器においては、特にボディシャンプー、シャンプー、リンス等の粘性の高い液体を使用する場合、二次弁を通じて吐出口へと押し出された液体がノズルヘッド内の液体流路内に残留しやすく、吐出後に該残留液体が吐出口から漏れ出してしまうという問題があった。このような問題に対して、棒状のロッド部と弁体とを設け、ロッド部の上下動と液室内の加圧・減圧によって一次弁及び二次弁の開閉を制御する構成のポンプ吐出容器が提案されている（例えば、特許文献１，２参照）。
【０００４】
例えば、特許文献１，２に記載のポンプ吐出容器においては、液体吐出後にノズルヘッドを上昇する際、二次弁が遅れて閉塞されることで液流路中の残存液体の一部が液室内へと引き戻されるとともに、液流路内に突出していたロッド部の先端が徐々に液室内へと戻っていくことで、戻ったロッド部の体積分だけ液流路中の残存液体がノズル先端から引き戻されるため、吐出後の残留液体の漏出が低減される（バックサクション機能）。しかしながら、これら特許文献１，２に記載のポンプ吐出容器においても、液体吐出後、ノズルヘッドが上昇端に位置している状態で、雰囲気温度が上昇する等の何らかの理由によって液室内の圧力が上昇した場合には、該圧力によって二次弁が下方向から押し上げられて開放されてしまい、液流路内の残存液体及び液室内に充填されていた液体の一部が吐出口から漏出してしまうことがあった。
【先行技術文献】
【特許文献】
【０００５】
【特許文献１】特開平０９−２９０１８５号公報
【特許文献２】特開２００２−２００４４３号公報
【発明の概要】
【発明が解決しようとする課題】
【０００６】
本発明は前記従来技術の課題に鑑みて行われたものであり、すなわち、その解決すべき課題は、液体吐出後の吐出口からの液体漏出が低減されたポンプ吐出容器を提供することにある。
【課題を解決するための手段】
【０００７】
本発明者らが、前記従来技術の課題に鑑み鋭意検討を行った結果、ロッド部を備えたポンプ式吐出容器において、ロッド部の下方末端とは別に逆止弁を設けて一次弁の開閉を制御するとともに、ロッド部の上方末端に拡径した係止部を設け、ノズルヘッドが上昇端に達した際に、該ロッド係止部と別途設けられた筒状の弁座部とが圧接することで液室開口部を完全に密閉する構成の二次弁とすることによって、液体を吐出した後、液室内の圧力が上昇した場合であっても、該二次弁は開放されることなく、吐出後の液体の漏出が著しく低減されることを見出し、本発明を完成するに至った。
【０００８】
すなわち、本発明にかかるポンプ吐出容器は、容器本体と、該容器本体の口部に装着される吐出ポンプ体とを備え、該吐出ポンプ体の上方に設けられたノズルヘッド部を上下動させることで、該容器本体内に収容された液体を該ノズルヘッド部に設けられた吐出口から吐出するポンプ式吐出容器において、前記吐出ポンプ体は、前記容器本体内と連通可能な筒状のシリンダ部と、前記シリンダ部と前記容器本体内との連通を開閉可能とする逆止弁部と、前記シリンダ部の内壁面と摺接して上下動が可能であり、該シリンダ部との間隙を液室として構成するとともに、その上方向への移動によって容器本体内の液体を該液室内へと吸入し、且つその下方向への移動によって該液室内の液体をその上方に設けられた開口端を通じて上方へと圧送する筒状のピストン部と、前記シリンダ部と前記ピストン部との間に介在し、該シリンダ部を下方向、該ピストン部を上方向へと付勢するスプリング部と、前記シリンダ部及び前記ピストン部により形成された空間内に設けられ、前記スプリング部により下方向へと付勢されており、且つその上方末端が該ピストン部の開口端を貫通しているとともに、その貫通した上方末端において拡径された係止部分が設けられている棒状のロッド部と、前記ロッド部と前記ピストン部の開口端との間に介在し、その内壁面が該ロッド部の外周面と摺接するとともに、その外壁面が該ピストン部の開口端と当接して該ピストン部の開口端を閉塞するか、又はその外壁面が該ピストン部の開口端と当接しないで該ピストン部の開口端を開放し、該ピストン部とともに上方向へと最大限移動した際、その内壁面が該ロッド部の係止部分の外周面と当接することで該ピストン部の開口端を密閉可能とする筒状の弁座部と、前記ピストン部内と連通可能であり、且つ該ピストン部と連動して上下動が可能であって、その下方向への移動によって、前記液室内の液体を該ピストン部の開口端を通じてその内部へと流入するとともに、該液体をその末端に設けられた吐出口から吐出するノズルヘッド部とを備え、前記シリンダ部において筒状内側方向に張り出した弁座部分が設けられ、前記逆止弁部及び該シリンダ部の弁座部分は、前記ピストン部の上方向への移動の際、互いに当接せずに該シリンダ部内と前記容器本体内との連通を開放し、且つ該ピストン部の下方向への移動の際、互いに当接して該シリンダ部内と該容器本体内との連通を閉塞することによって一次弁を構成し、前記ロッド部、前記筒状弁座部及び前記ピストン部は、前記ノズルヘッド部の上方向の移動の際、該筒状弁座部の外壁面と該ピストン部の開口端とが当接して該ピストン部の開口端を閉塞し、該ノズルヘッド部が上死点に達した際、該ロッド部末端の係止部分の外周面と該筒状弁座部の内壁面とが圧接することで該ピストン部の開口端を圧閉し、且つ該ノズルヘッド部の下方向への移動の際及び下死点に達した際、該筒状弁座部の外壁面と該ピストン部の開口端とが当接せずに該ピストン部の開口端を開放することによって二次弁を構成していることを特徴とするものである
【発明の効果】
【０００９】
本発明の吐出容器によれば、ロッド部の下方末端とは別に逆止弁を設けて一次弁の開閉を制御するとともに、ロッド部の上方末端に拡径した係止部を設け、ノズルヘッドが上昇端に達した際に、該ロッド係止部と別途設けられた筒状の弁座部とが圧接することで液室開口部を完全に密閉する構成の二次弁とすることによって、液体を吐出した後、液室内の圧力が上昇した場合であっても、該二次弁は開放されることなく、吐出後の液体の漏出が著しく低減される。
【図面の簡単な説明】
【００１０】
【図１】本発明の一実施形態にかかる吐出容器の吐出ポンプ体の断面図（ノズルヘッドが上昇端にある状態の正面断面図）である。
【図２】本発明の一実施形態にかかる吐出ポンプ体のノズルヘッド部下降端、上昇時、上昇端における作用の説明図である（（Ａ）：下降端，（Ｂ）：上昇時，（Ｃ）：上昇端）。
【図３】本発明の一実施形態にかかる吐出ポンプ体のノズルヘッド部下降端、上昇時、上昇端、下降時における作動状態の説明図を示す（（Ａ）：下降端，（Ｂ）上昇時，（Ｃ）：上昇端，（Ｄ）：下降時）。
【発明を実施するための形態】
【００１１】
以下、図面に基づいて、本発明の好適な実施形態を説明する。
〈構成〉
本実施形態にかかるポンプ式吐出容器は、液体が収容される容器本体と、該容器本体の上端の口部に着脱自在に装着される吐出ポンプ体と、該吐出ポンプ体と連通して容器本体の内部へと延びた管体とを備えている。
図１に、本発明の一実施形態にかかる吐出容器の吐出ポンプ体１０の断面図（ノズルヘッドが上昇端にある状態の正面断面図）を示す。
【００１２】
本実施形態にかかる吐出ポンプ体１０は、下方に設けられたスカート状のベースキャップ部２０の内周面には雌ねじが形成されており、外周面に雄ネジの設けられた容器本体の口部（図示しない）と螺合することによって、吐出ポンプ体１０が容器本体に冠着して固定される。
本実施形態の吐出ポンプ体１０は、操作部及び吐出部となるノズルヘッド２２と、シリンダ２４と、ボール弁２６と、ピストン２８と、スプリング３０と、ロッド３２と、筒状弁座３４とを、主な構成部品としている。なお、これらの構成部品は、通常の場合、いずれもプラスチック素材より形成され、例えば、ポリプロピレン（ＰＰ）、高密度ポリエチレン（ＨＤＰＥ）、中密度ポリエチレン（ＭＤＰＥ）、低密度ポリエチレン（ＬＤＰＥ）等のポリオレフィン系樹脂、ポリエチレンテレフタレート（ＰＥＴ）等のポリエステル系樹脂を単独で、あるいは適宜混合して用いることができる。
【００１３】
以下、吐出ポンプ体１０における各構成部品の具体的な構造について説明する。
本実施形態にかかる吐出ポンプ体１０において、筒状のシリンダ２４は、その下方筒状部２４ａに管体１２が嵌入されている。また、シリンダ２４の上方にはフランジ部２４ｂが設けられ、ベースキャップ２０の内壁に嵌合して固定されている。また、管体１２が嵌入された下方筒状部２４ａの上方には、筒状内側方向に張り出した弁座部分２４ｃが設けられており、該弁座部分２４ｃにはボール弁２６が静置されている。なお、ボール弁２６は弁座部分２４ｃと当接することでシリンダ２４内と管体１２との連通を閉塞可能としている。
【００１４】
すなわち、シリンダ２４内部が減圧状態になった場合、ボール弁２６は上方に持ち上げられることで弁座部分２４ｃを離れ、シリンダ２４内と管体１２との連通が開放される。一方で、シリンダ２４内部が常圧あるいは加圧状態となった場合、ボール弁２６は弁座部分２４ｃと当接して、シリンダ２４内と管体１２との連通を閉塞する。このため、シリンダ２４内の減圧・加圧によって、シリンダ２４内と管体１２との連通が制御されることとなり、本実施形態にかかる吐出ポンプ体１０においては、このようにして一次弁が構成される。なお、本実施形態においては、ボール弁を用いた一次弁が構成されているものの、弁の形状はこれに限定されるものではなく、円錐状、棒状、膜状等、公知の各種逆止弁を使用して一次弁を構成してもよい。
【００１５】
また、筒状のピストン２８は、その下方外壁面２８ａがシリンダ２４の内壁面と摺接するように設けられており、該ピストン２８は、後述するノズルヘッド２２と連動して上下動が可能となっている。また、ピストン２８の上方には、ノズルヘッド２２内の液体流路と連通するための開口端２８ｂが設けられている。さらに、シリンダ２４とピストン２８との間には、該シリンダ２４とピストン２８との間隙を拡げる方向へと付勢するスプリング３０が設けられており、これによって、ピストン２８は上方、シリンダ２４は下方向へと常に付勢されている。
【００１６】
ここで、本実施形態にかかる吐出ポンプ体１０において、シリンダ２４とピストン２８との間隙が、液室Ａとして形成される。すなわち、ピストン２８が上方向に移動する際、液室Ａ内は一時的に減圧状態となり、先に説明した一次弁が開放されて、容器本体内の液体が管体１２を通じて液室Ａ内へと吸入される。他方、ピストン２８が下方向に移動する際は、液室Ａ内が加圧状態となることによって、一次弁は閉塞され、液室Ａ内に充填された液体は開放された二次弁を通じて吐出口方向へと圧送される（なお、二次弁の構成については後述する）。
【００１７】
また、本実施形態にかかる吐出ポンプ体１０においては、ロッド３２が、シリンダ２４とピストン２８との間に形成された筒状の空間（すなわち、液室Ａ）内に設けられている。ここで、本実施形態においては、ロッド３２の下方底部には、フランジ部３２ａがシリンダ２４の段部２４ｄ上に接するように設けられている。フランジ部３２ａは、シリンダ２４とスプリング３０との間に挟み込まれているため、ロッド３２の下方底部はスプリング３０によってシリンダ２４へと押し付けられており、これによって、ロッド３２はシリンダ２４とともに常に下方向へと付勢されている。なお、本実施形態においては、ロッド３２とシリンダ２４とが個別の部品として設けられているものの、例えば、ロッド３２の下方底部とシリンダ２４とが一体化された部品として構成されていてもよい。
【００１８】
また、フランジ部３２ａの上方には、孔３２ｂが設けられているため、シリンダ２４内と容器本体内との連通はロッド３２によっては閉塞されておらず、常に流動可能な状態である。すなわち、特許文献１，２に記載されているような従来のポンプ式吐出容器においては、ロッドの下端部がシリンダの底部を開放・閉塞することによって一次弁が構成されているものの、本実施形態にかかる吐出ポンプ体１０においては、ロッド３２は一次弁を構成しておらず、先述したように、別途設けられたボール弁２６とシリンダの弁座部分２４ｃとによって一次弁が構成されている。
【００１９】
ここで、例えば、特許文献１に記載のポンプ式吐出容器においては、ロッド自体が上下動するために、ロッドの横ブレが生じてノズルヘッドの上下動を円滑に行なうことができない場合があった。他方、特許文献２に記載のポンプ式吐出容器においては、ロッドの外周を合成樹脂からなるバネ体によって支持することで横ブレを抑えているものの、ロッドとバネ体との間の摺動抵抗が生じるため、ノズルヘッドの上下動が妨げられてしまうという問題もあった。これに対して、本実施形態にかかる吐出ポンプ体１０においては、ロッド３２は一次弁を構成しておらず、一次弁の開放・閉塞に伴う上下動を必要としないため、上記先行技術のようなロッドの横ブレ、あるいロッドの上下動に伴う摺動抵抗の問題は生じない。
【００２０】
また、本実施形態にかかる吐出ポンプ体１０において、ロッド３２の上方末端は、ピストン２８の開口端２８ｂを貫通しており、さらに貫通した末端部分において、ロッド３２の棒状半径方向外側へ向かって拡径された係止部分３２ｃが設けられている。また、ロッド３２の上方末端と、ピストン開口端２８ｂとの間には、両者に挟みこまれたような状態で、筒状弁座部３４が設けられており、該筒状弁座部３４の内壁面はロッド３２の外周面と摺動可能に接している。ここで、筒状弁座部３４は、その内壁面がロッド３２と摺接するとともに、外壁面がピストン開口端２８ｂと当接することによって、該ピストン開口端２８ｂを閉塞可能としている。さらに、ロッド末端の係止部分３２ｃは、弁座部３４と当接することによってピストン開口端２８ｂを完全に密閉可能としている。そして、本実施形態にかかる吐出ポンプ体１０においては、これによって二次弁が構成される。
【００２１】
以下、本実施形態の二次弁の作用について、図を用いて説明する。
図２に、本実施形態にかかる吐出ポンプ体のノズルヘッド部の下降端、上昇時、上昇端における作用の説明図を示す（（Ａ）：下降端，（Ｂ）：上昇時，（Ｃ）：上昇端）。
図２（Ａ）に示すように、ノズルヘッド２２が押し下げられて下降端にある場合、弁座部３４は、ノズルヘッド２２に設けられたストッパ部２２ｂに当接して規制されており、ピストン開口端２８ｂとは当接しておらず、該ピストン開口端２８ｂは開放されているため、液室Ａ内の液体はノズルヘッド２２内へと流入可能な状態にある。
【００２２】
つづいて、ノズルヘッド２２の押し下げが解除され、上昇を始めると、これにつれてピストン開口端２８ｂも上昇するのに対して、弁座部３４は下降端の位置からしばらくの間上昇せず、図２（Ｂ）に示す位置で、弁座部３４とピストン開口端２８ｂが当接して該ピストン開口端２８ｂは閉塞される。また、さらにノズルヘッド２２が上昇することで、弁座部３４はピストン開口端２８ｂによって押し上げられることとなり、該ピストン開口端２８ｂが閉塞されたままで、ノズルヘッド２２が上昇する。
【００２３】
さらにノズルヘッド２２が上昇すると、ノズルヘッド２２は上昇端に達する。ここで、図２（Ｃ）に示すように、ノズルヘッド２２が上昇端に達すると、ロッド末端の係止部分３２ｃの外周面が、弁座部３４の内周面と圧接することによって、ピストン開口端２８ｂは圧閉される。すなわち、図２（Ｃ）に示すように、ピストン開口端２８ｂは、スプリング３０によって上方向へ付勢されている。一方で、ロッド末端の係止部分３２ｃは、ロッド下方のフランジ部分３２ａがスプリング３０によって下方向へと付勢されているため、上方向へと移動することはできない。このため、ピストン開口端２８ｂと、これとともに押し上げられた弁座部３４とが、ロッド３２の末端係止部分３２ｃに押し付けられた状態で圧接し、該ピストン開口端２８ｂは圧閉されることになる。
【００２４】
なお、例えば、特許文献１，２に記載されているような従来のポンプ式吐出容器においては、ロッド末端の係止部分が設けられておらず、この場合、ノズルヘッドが上昇端に達した際においても、ピストン開口端は弁座部の外周面に当接して閉塞されているのみであって、ピストン開口端と弁座部とを互いに押し付け合うような圧力は生じていない。このため、このような構成のポンプ吐出容器においては、雰囲気温度が上昇する等の何らかの理由によって液室内の圧力が上昇した場合、弁座部が圧力によって下方向から押し上げられ、ピストン開口端が容易に開放されてしまう。そして、加圧された液室Ａ内の液体は、開放されたピストン開口端を通過して、つづくノズルヘッド内の液流路を通じて吐出口から漏出してしまうことになる。
【００２５】
これに対して、本実施形態にかかる吐出ポンプ体１０においては、先に説明したように、ノズルヘッド２２が上昇端に達した際に、ロッド末端の係止部分３２ｃが弁座部３４と圧接することによって、ピストン開口端２８ｂが圧閉されている。そして、これによって、仮に液室Ａ内が加圧され、弁座部３２が下方向から押し上げられた場合であっても、ピストン開口端２８ｂは密閉されたままで開放されないため、液室Ａ内の液体は漏出することができない。このため、例えば、液体吐出後に容器を放置した場合であっても、不慮の液体漏出を防ぐことができる。さらに、吐出容器本体を逆さまにしたり、あるいは横倒しにしたような場合であっても、スプリング３０の付勢力によって、ピストン開口端２８ｂの密閉状態が維持されているため、少なくとも液室Ａ内の液体が外部に漏出することはほとんど無い。
【００２６】
なお、図２（Ｃ）に示すノズルヘッド２２上昇端の位置から、ノズルヘッド２２を押し下げて下降させると、これに連動してピストン開口端２８ｂも下降を始めるのに対して、弁座部３４は図２（Ｃ）の位置から下降しないため、ピストン開口端２８ｂはすぐに開放される。弁座部３４は、ノズルヘッド２２に設けられたストッパ部２２ｂと当接することによって、ノズルヘッド２２の押し下げに伴って下降を始めるものの、下降中もピストン開口端２８ｂは開放されたままである。さらに、ノズルヘッド２２が下降端に達した際にも、図２（Ａ）に示すように、弁座部３４とピストン開口端２８ｂとは当接することはなく、ピストン開口端２８ｂは開放されたままである。
【００２７】
また、本実施形態にかかる吐出ポンプ体１０において、ノズルヘッド２２は、その下方においてピストン２８の上方末端が嵌入されており、ノズルヘッド２２内とピストン２８内（すなわち、液室Ａ内）とが連通可能となっている。ただし、先に説明したように、ロッド末端係止部分３２ｃ，弁座部３４及びピストン開口端２８ｂによって二次弁が構成されており、該二次弁によってピストン２８内とノズルヘッド２２内との連通は制御されている。また、ノズルヘッド２２は、ピストン２８と連動して上下動が可能であって、ノズルヘッド２２とともにピストン２８が下方向へと移動することによって、液室Ａ内が加圧状態となり、一次弁が閉塞されるとともに、二次弁が開放されて、液室Ａ内の液体がピストン開口端２８ｂを通じてノズルヘッド２２内へと流入し、さらにノズルヘッド２２の下流側末端に設けられた吐出口２２ａから吐出される。なお、ノズルヘッド２２の下方にはストッパ部２２ｂが設けられており、ノズルヘッド２２の下降時及び下降端に達した際、該ストッパ部２２ｂは弁座部３４と当接してその位置を規制している。
【００２８】
〈作動状態〉
つづいて、本実施形態の吐出ポンプ体の使用時の作動状態について、図を用いて説明する。
図３に、本実施形態にかかる吐出ポンプ体のノズルヘッド部の下降端、上昇時、上昇端、下降時における作動状態の説明図を示す（（Ａ）：下降端，（Ｂ）上昇時，（Ｃ）：上昇端，（Ｄ）：下降時）。
【００２９】
なお、本実施形態にかかる吐出ポンプ体１０の付されたポンプ式吐出容器を使用する場合、まず最初に、ノズルヘッド２２を下降端まで押し下げる必要があるものの、製造後、使用を開始するまでは、液室Ａ内には液体が充填されていない状態である。このため、最初のノズルヘッド２２下降時においては、液室Ａ内の空気が吐出口２２ａから吐出されるのみであって液体の移動は生じない。以下、ノズルヘッド２２が下降端に達した状態から、液体の流れについて説明する。
【００３０】
図３（Ａ）に示すように、ノズルヘッド２２が下降端に達した際、弁座部３４はストッパ部２２ｂに当接して規制されており、ピストン開口端２８ｂとは当接していないため、ピストンの開口端２８ｂは開放されており、液室Ａ内とノズルヘッド２２内は連通可能となっている（二次弁）。一方で、ボール弁２６はシリンダの弁座部分２４ｃと当接しており、容器本体内と液室Ａ内との連通は閉塞されている（一次弁）。
【００３１】
図３（Ａ）の状態から、ノズルヘッド２２の押し下げを解除すると、スプリング３０によってピストン２８及びノズルヘッド２２は常に上方向に付勢されているため、ノズルヘッド２２は上昇を始める。ノズルヘッド２２の上昇につれてピストン開口端２８ｂも上昇するものの、弁座部３４は下降端の位置からしばらくの間上昇せず、図３（Ｂ）に示す位置において、弁座部３４とピストン開口端２８ｂとが当接して該ピストン開口端２８ｂが閉塞される（二次弁）。さらに、該ピストン開口端２８ｂが閉塞された状態でピストン２８の上昇が続けられると、液室Ａ内は減圧状態となって、ボール弁２６が弁座部２４ｃから離れて、容器本体内液室Ａ内との連通を開放する（一次弁）。そして、容器本体内に収容された液体は、減圧状態の液室Ａ内へと吸い上げられ、液室Ａ内に液体が充填されることになる。
【００３２】
なお、図３（Ａ）の状態からノズルヘッド２２が上昇して、図３（Ｂ）の状態に達するまでの間、弁座部３４とピストン開口端２８ｂとは当接しておらず、該ピストン開口端２８ｂは閉塞されていない。このため、仮にノズルヘッド２２の液流路内に液体が残存していた場合、ピストン２８の上昇によって液室Ａ内が減圧となり、ノズルヘッド２２内の残存液体の一部は未だ閉塞していないピストン開口端２８ｂを通じて液室Ａ内に引き戻される。また、ピストン２８が上昇することによって、ピストン開口端２８ｂを貫通してノズルヘッド２２の液流路内に突出していたロッド部３２の末端が液室Ａ内へと戻され、ロッド部３２の突出部分の減少した体積分だけ、ノズルヘッド２２の先端付近に残存していた液体がピストン開口端２８ｂ付近まで引き戻される。そして、これらの作用によって、ノズルヘッド２２の液流路内部に残存していた液体が、液室Ａあるいはピストン開口端２８ｂの付近まで引き戻されるため、ノズルヘッド２２内の残存液体の漏出が低減される（バックサクション機能）。
【００３３】
また、図３（Ｃ）に示すように、ノズルヘッド２２が上昇端に達すると、ロッド末端の係止部分３２ｃが弁座部３４と圧接してピストン開口端２８ｂは圧閉されている（二次弁）。一方で、容器本体内との連通によって液室Ａ内の減圧が解除されると、ボール弁２６は再び弁座部２４ｃと当接して、連通を閉塞する（一次弁）。したがって、ノズルヘッドが上昇端にある図３（Ｃ）の状態では、ノズルヘッド上昇時に容器本体内から吸入された液体が液室Ａ内に充填されており、且つ該液室Ａの上下に設けられている一次弁、二次弁がともに閉塞されている状態にある。そして、ロッド末端の係止部分３２ｃが弁座部３４とによってピストン開口端２８ｂが圧閉されていることによって、仮に液室Ａ内が加圧され、弁座部３２が下方向から押し上げられた場合であっても、ピストン開口端２８ｂは圧閉されたままで開放されないため、液室Ａ内の液体が該開口端２８ｂを通じて吐出口２２ａから漏出することはない。
【００３４】
つづいて、図３（Ｃ）の状態から、ノズルヘッド２２を押し下げると、図３（Ｄ）に示すように、ノズルヘッド２２に連動してピストン開口端２８ｂも下降を始めるのに対して、弁座部３４は図３（Ｃ）の位置から下降しないため、ピストン開口端２８ｂはすぐに開放される（二次弁）。これに対し、ピストン２８の下降によって液室Ａ内の圧力は上昇するため、ボール弁２６は弁座部２４ｃに押し付けられて、容器本体内との連通を閉塞する（一次弁）。このため、液室Ａ内に充填されていた液体は、該液室Ａ内の圧力上昇に伴って、ピストン開口端２８ｂを通ってノズルヘッド２２内へと流入し、吐出口２２ａから吐出される。さらにノズルヘッド２２の押し下げを続けることによって、押し下げ量に応じた量の液体が吐出される。なお、弁座部３４は、ノズルヘッド２２の下降の途中でストッパ部２２ｂに当接し、ピストン開口端２８ｂを開放したままの状態で、ノズルヘッド２２とともに下方向へと押し下げられる。そして、さらにノズルヘッド２２の押し下げを続け、ノズルヘッド２２が下降端に達すると、図３（Ａ）に示す状態に戻る。
【符号の説明】
【００３５】
１０        吐出ポンプ体
１２        管体
２０        ベースキャップ
２２        ノズルヘッド
２４        シリンダ
２６        ボール弁
２８        ピストン
３０        スプリング
３２        ロッド
３４        筒状弁座
【図１】
0005603734.tif 000002
【図２】
0005603734.tif 000003
【図３】
0005603734.tif 000004